(57)【特許請求の範囲】
【請求項１】
複数の通信網に無線接続可能で、前記複数の通信網のうちの一つを通信に使用すべき通信網として特定する通信手段と、
前記通信手段による通信に使用された通信網を識別する網識別子を含む履歴データを通信履歴情報として記憶する記憶手段と、
表示手段と、
前記記憶手段に記憶されている前記通信履歴情報の中から前記通信手段によって特定された通信網に関連する履歴データを検索し、検索結果を前記表示手段に表示させる履歴情報管理手段と、を有し、
前記履歴情報管理手段は、前記網識別子を前記特定された通信網に関連する履歴データの検索に利用する検索手段を有していることを特徴とする通信装置。
【請求項２】
前記通信履歴情報の表示指示を受ける入力手段をさらに有し、
前記履歴データの検索は、前記入力手段からの表示指示に応答して行われることを特徴とする請求項１に記載の通信装置。
【請求項３】
前記通信手段は、現在位置に基づいて前記通信に使用すべき通信網を特定することを特徴とする請求項１又は２に記載の通信装置。
【請求項４】
前記履歴情報管理手段は、前記履歴データを生成して前記記憶手段に記憶させる記録手段を有している、
ことを特徴とする請求項１，２又は３に記載の通信装置。
【請求項５】
前記履歴データは、通信相手を識別する固有識別子を含み、
前記検索手段は、前記通信手段によって特定された通信網を介して発信が可能な固有識別子を含む履歴データを、前記通信手段によって特定された通信網に関連する履歴データとして検索することを特徴とする請求項１乃至４のいずれか１項に記載の通信装置。
【請求項６】
前記検索手段は、前記特定された通信網を介して発信が可能か否かの判断を、前記網識別子に基づいて行うことを特徴とする請求項５に記載の通信装置。
【請求項７】
前記検索手段は、前記特定された通信網を介して発信が可能か否かの判断を、前記網識別子と前記固有識別子とに基づいて行うことを特徴とする請求項６に記載の通信装置。
【請求項８】
請求項１乃至７のいずれか一つに記載の通信装置と、
前記複数の通信網に含まれる一つ以上の構内交換網をそれぞれ構成する一つ以上の構内交換機と、
を有することを特徴とする通信システム。
【請求項９】
無線接続可能な複数の通信網のうちの一つを通信に使用すべき通信網として特定し、
記憶部に記憶された通信履歴情報の中から、特定された前記通信網を識別する網識別子を含む履歴データを検索し、
前記網識別子に基づいた検索結果を表示部に表示させる、
ことを特徴とする通信履歴表示方法。
【請求項１０】
無線接続可能な複数の通信網のうちの一つを通信に使用すべき通信網として特定するステップと、
記憶部に記憶された通信履歴情報の中から、特定された前記通信網を識別する網識別子を含む履歴データを検索するステップと、
前記網識別子に基づいた検索結果を表示部に表示させるステップと、
をコンピュータに実行させることを特徴とするプログラム。
【発明の詳細な説明】
【技術分野】
【０００１】
本発明は、通信装置、通信システム、通信履歴表示方法及びプログラムに関する。
【背景技術】
【０００２】
互いに異なる複数の無線通信網、例えば構内交換網と公衆無線電話網、のいずれにも接続可能なデュアルモード携帯端末と呼ばれる通信装置が存在する（例えば、特許文献１参照）。この種の通信装置は、一般的な携帯電話やスマートフォン等と同様、通信履歴情報（発信履歴情報及び着信履歴情報）を記録する機能、記録した通信履歴情報を表示器に表示する機能、及び表示された通信履歴情報に含まれる相手先へ発信する機能を有している。
【０００３】
関連する通信装置（デュアルモード携帯端末）は、時間情報（通信日時）に基づいて通信履歴情報を管理する。その際、関連する通信装置は、通信に利用した無線通信網を区別しない。そして、関連する通信装置は、通信に利用した無線通信網に関係なく、新しいものから古いものの順に並ぶように通信履歴情報を表示する。
【先行技術文献】
【特許文献】
【０００４】
【特許文献１】特開２００２−２９１０１６号公報
【発明の概要】
【発明が解決しようとする課題】
【０００５】
関連する通信装置は、その現在位置に応じて発信に利用できる無線通信網が異なる。このため、関連する通信装置には、表示した通信履歴情報に含まれる相手先へ発信しようとしても発信できない場合がある。これは、通信履歴情報の表示が、現在位置と無関係に、かつ通信に利用した無線通信網を区別することなく行われるからである。
【０００６】
このように、通信装置の現在位置とは無関係にかつ通信に利用した無線通信網を区別することなく、通信装置の発信に使用不可能な通信履歴情報を表示することは、通信装置の利用者の利便性を損なう結果となる。
【０００７】
本発明の目的は、上述した課題を解決することにあり、通信装置の利用者の利便性を向上させることが可能な通信装置を提供することにある。
【課題を解決するための手段】
【０００８】
本発明の第１の態様に係る通信装置は、複数の通信網に無線接続可能で、前記複数の通信網のうちの一つを通信に使用すべき通信網として特定する通信手段と、前記通信手段による通信の履歴データを通信履歴情報として記憶する記憶手段と、表示手段と、前記記憶手段に記憶されている前記通信履歴情報の中から前記通信手段によって特定された通信網に関連する履歴データを検索し、検索結果を前記表示手段に表示させる履歴情報管理手段と、を有している。
【０００９】
本発明の第２の態様に係る通信システムは、第１の態様に係る通信装置と、前記複数の通信網に含まれる一つ以上の構内交換網をそれぞれ構成する一つ以上の構内交換機と、を有している。
【００１０】
本発明の第３の態様に係る通信履歴表示方法は、無線接続可能な複数の通信網のうちの一つを通信に使用すべき通信網として特定し、記憶部に記憶された通信履歴情報の中から、特定された前記通信網に関連する履歴データを検索し、検索結果を表示部に表示させる。
【００１１】
本発明の第４の態様に係るプログラムは、無線接続可能な複数の通信網のうちの一つを通信に使用すべき通信網として特定するステップと、記憶部に記憶された通信履歴情報の中から、特定された前記通信網に関連する履歴データを検索するステップと、検索結果を表示部に表示させるステップと、をコンピュータに実行させる。
【発明の効果】
【００１２】
本発明によれば、通信装置の利用者の利便性を向上させることができる。
【図面の簡単な説明】
【００１３】
【図１】本発明の第１の実施の形態に係る通信装置の概略構成を示すブロック図である。
【図２】図１の通信装置の制御部の一部構成を示すブロック図である。
【図３】図２の制御部の動作例を説明するためのフローチャートである。
【図４】図２の制御部の他の動作例を説明するためのフローチャートである。
【図５】本発明の第２の実施の形態に係る通信システムの概略構成を示す模式図である。
【図６】図５の通信システムに使用される通信装置の記憶部に記憶された通信履歴情報の一例を示す図である。
【図７】図５の通信システムにおいて通信装置が事業所Ａ内に位置する場合に表示される通信履歴情報の一例を示す図である。
【図８】図５の通信システムにおいて通信装置が事業所Ａ外かつ工場Ｃ外に位置する場合に表示される通信履歴情報の一例を示す図である。
【図９】図５の通信システムにおいて通信装置が工場Ｃ内に位置する場合に表示される通信履歴情報の一例を示す図である。
【図１０】図５の通信システムにおいて通信装置に表示される通信履歴情報の他の例を説明するための図である。
【発明を実施するための形態】
【００１４】
以下、図面を参照して本発明の実施の形態について詳細に説明する。以下の説明では、電話番号（外線及び内線）を相手識別子として用い、音声通話を実現する通信装置及び通信システムについて説明する。しかしながら、本発明は電話番号以外の固有識別子を相手識別子として用いる場合や、テキストや画像を送受信する場合にも適用可能である。
【００１５】
図１は、本発明の第１の実施の形態に係る通信装置１０の概略構成を示すブロック図である。図示の通信装置１０は、通信部１１、制御部１２、入力操作部１３、記憶部１４及び表示部１５を有している。
【００１６】
通信部１１は、互いに異なる複数の無線通信網に接続するための１つ以上の無線ユニット（図示せず）を有している。例えば、通信部１１は、公衆無線電話網に接続するための第１の無線ユニットと、１つ以上の構内交換網に接続するための第２の無線ユニットとを有している。このように２つの無線ユニットを有している通信部１１を有する通信装置１０は、デュアルモード携帯端末と呼ばれることがある。同一アーキテクチャを採用する複数の構内交換網に無線接続するには１つの無線ユニットを備えればよいので、接続可能な無線通信網の数と、無線ユニットの数とは必ずしも一致しない。通信部１１は、一つ以上の無線ユニットのうちのいずれか一つを使用し、複数の無線通信網のうちの一つを介して通信相手との通信を実現する。
【００１７】
通信実現のため、通信部１１は、各無線通信網を構成するアクセスポイント（基地局）から周期的に送信される制御信号を受信する。制御信号には、各無線通信網を識別するための網識別子が含まれている。制御信号を受信すると、通信部１１は、必要に応じて位置登録処理等の所定の処理を実行する。例えば、通信装置１０の電源がオンされて最初に制御信号を受けた時や、通信装置１０が位置登録エリアを移動した場合に、通信部１１は位置登録処理を行う。また、通信部１１は、制御信号の受信レベルに基づいて、通信装置１０の現在位置が無線通信網の圏内か否かの判断を行う。さらに通信部１１は、制御信号の受信レベルや優先度に基づいて、複数の通信網のうちの一つを通信に使用すべき通信網として特定する。優先度は、例えば、公衆無線電話網よりも構内交換網の方を高く設定することができる。このように、通信部１１は複数の通信網のうちの一つを通信に使用すべき通信網として特定する通信手段として機能する。
【００１８】
制御部１２は、記憶部１４又は図示しない他の記憶部に格納された制御プログラムを実行し、通信装置１０の全体の動作を制御する。特に、本実施の形態では、制御部１２は、通信履歴情報管理部を含み、後述するように通信履歴情報の記録、検索及び表示を制御する。
【００１９】
入力操作部１３は、通信装置１０に対するユーザからの指示を受け付ける。ユーザからの指示には、発信指示、着信応答指示及び各種情報表示指示が含まれる。入力操作部１３は、複数の入力キーやそれに代わるタッチパネル等であってよい。
【００２０】
記憶部１４は、少なくとも通信履歴情報（発信履歴情報及び着信履歴情報）を含む各種情報を記憶する。また、記憶部１４は、制御部１２によって実行される各種プログラムを記憶してもよい。
【００２１】
表示部１５は、制御部１２による制御の下、自動的にまたは入力操作部１３からの指示に応じて各種情報を表示する。
【００２２】
以上のように構成された通信装置１０において、制御部１２は、通信部１１によって実施される通信（通話）が終了する度に通信履歴データを生成し、生成した通信履歴データを通信履歴情報として記憶部１４に記憶させる。記憶部１４に記憶させる通信履歴データは、少なくとも通信相手に固有の固有識別子（ここでは、外線又は内線電話番号）と、通信に使用した無線通信網を示す網識別子とを含む。また、通信履歴データは、通信日時、通信時間及び相手名等に関する情報を含んでもよい。このように、記憶部１４は、通信部１１による通信の履歴データを通信履歴情報として記憶する記憶手段として機能する。
【００２３】
また、入力操作部１３から通信履歴情報を表示させる指示入力があると、制御部１２は、通信部１１に対して、複数の通信網のうちの一つを通信に使用すべき通信網として特定するよう依頼する。通信部１１は、その時点において通信に使用すべき無線通信網を特定し、特定した無線通信網を示す網識別子を制御部１２へ通知する。なお、通信使用すべき無線通信網は、通信装置１０の現在位置に基づいて定まる（依存する）。このように、入力操作部１３は、通信履歴情報の表示指示を受ける入力手段として機能し、また、通信部１１は複数の通信網のうちの一つを通信に使用すべき通信網として特定する通信手段として機能する。なお、通信部１１は、通信履歴情報を表示させる指示入力がなくても使用すべき通信網として特定することがある。
【００２４】
制御部１２は、通信部１１から取得した網識別子を検索キーとして記憶部１４を検索し、検索キーに一致する網識別子を含む通信履歴データを読み出す。これに加え、制御部１２は、外線電話番号を含む通信履歴データを読み出してもよい。外線電話番号を含む通信履歴データを読み出すか否かは任意に設定できる。外線電話番号を含む通信履歴データを読み出すか否かの設定情報は、記憶部１４に記憶させておくことができる。制御部１２は、通信部１１から網識別子を取得した際に、記憶部１４に記憶されている設定情報を確認し、外線電話番号を含む通信履歴データを読み出すか、又は読み出さない。
【００２５】
以上のようにして、通信履歴データを選択的に読み出した制御部１２は、読み出した通信履歴データを検索結果として表示部１５に表示させる。このように、制御部１２は、通信履歴情報の表示指示を受けると、記憶部１４に記憶されている通信履歴情報の中から通信部１１によって特定された通信網に関連する通信履歴データを検索し、検索結果を表示部１５に表示させる履歴情報管理手段として機能する。
【００２６】
表示部１５に表示された通信履歴データは、夫々発信可能な電話番号を含んでいる。つまり、通信装置１０は、現在位置において発信可能な電話番号を含む通信履歴データを選択的にその表示部１５に表示する。そして、通信装置１０は、現在位置において発信不可能な電話番号を含む通信履歴データを表示しない。
【００２７】
以上の結果、通信装置１０のユーザは、通信履歴情報を利用して発信する際に、表示された通信履歴データに含まれる電話番号宛の発信が可能か否かを判断する必要がない。また、ユーザは、表示された通信履歴データに含まれる電話番号宛の発信が可能か否かの判断をすることなく発信操作を行った後、発信不能に気付き、発信操作をやり直すということがない。こうして、本実施の形態に係る通信装置１０は、通信履歴情報を利用して発信する際のユーザの労力を軽減し、その利便性を向上させることができる。
【００２８】
次に、図２及び図３を参照して、通信装置１０の制御部１２についてさらに説明する。
【００２９】
図２は、制御部１２における内部構成の一部を示すブロック図である。図２においては、本願発明の説明に必要な部分を示し、その他の部分は省略されている。
【００３０】
制御部１２の履歴情報管理部２０は、通信履歴データを記憶部１４に書き込む（記憶させる）とともに、記憶部１４を検索して書き込まれた通信履歴データを選択的に読み出す動作を行う。履歴情報管理部２０は、上記動作を実現するために、記録部２１、網特定部２２及び検索部２３を有している。なお、制御部１２を構成する各部は、制御部１２において制御プログラムを実行することによって実現され得るが、ハードウエアとして実現されてもよい。
【００３１】
記録部２１は、通信部１１で行われる通信に基づいて通信履歴データを生成し、生成した通信履歴データを記憶部１４に書き込む。通信履歴データには、上述したように、相手識別子である電話番号（外線又は内線）と、通信に使用した無線通信網を示す網識別子が含まれる。
【００３２】
網特定部２２は、通信部１１に対して通信に使用すべき無線通信網を特定するよう依頼し、通信部１１から使用すべき無線通信網を示す網識別子を取得する。また、網特定部２２は、特定した無線通信網を示す網識別子を検索部２３に通知する。
【００３３】
検索部２３は、網特定部２２から通知された網識別子を検索キーとして記憶部１４を検索し、検索キーに一致する網識別子を含む通信履歴データを読み出す。また、検索部２３は、読み出した通信履歴データを検索結果として表示部１５へ送信する。
【００３４】
図３は、図２に示す制御部１２により実現される履歴情報表示方法を説明するためのフローチャートである。ここでは、通信装置１０が公衆無線電話網と２以上の構内交換網に接続可能である場合について説明する。また、各構内交換網は外線電話番号宛の発信を許容しているものとする。
【００３５】
制御部１２の履歴情報管理部２０は、通信履歴情報の表示指示を受けると（ステップＳ３０１）、網特定部２２を通じて通信部１１に使用すべき無線通信網を特定させる（ステップＳ３０２）。網特定部２２は、通信部１１から通知される網識別子を検索部２３に引き渡す。
【００３６】
検索部２３は、受け取った網識別子が公衆無線電話網を示している場合（ステップＳ３０３でＹＥＳ）、記憶部１４を検索して外線電話番号を含む通信履歴データを読み出す（ステップＳ３０４）。
【００３７】
一方、受け取った網識別子が構内交換網を示している場合（ステップＳ３０３でＮＯ）、検索部２３は、構内交換網のサービスエリア（構内交換機）を特定する（ステップＳ３０５）。そして、特定したサービスエリアに対応する網識別子を検索キーとして記憶部１４を検索し、検索キーに一致する網識別子を含む通信履歴データを読み出すとともに、外線電話番号を含む通信履歴データを読み出す（ステップＳ３０６）。
【００３８】
その後、検索部２３は、読み出した通信履歴データを表示部１５に表示させる。以上の結果、表示部１５は、その時点において発信に利用することができる電話番号を含む通信履歴データを表示する。
【００３９】
次に、図４を参照して、図２に示す制御部１２により実現される履歴情報表示方法の他の例について説明する。図３のフローチャートでは、各構内交換網は外線への発信を許容しているものとしたが、ここでは構内交換網毎に外線への発信を許容し又は制限している場合について説明する。ここで、図３と同一のステップには同一の参照符号を付し、その説明を省略する。
【００４０】
検索部２３は、ステップＳ３０５においてサービスエリアを特定すると特定したサービスエリアにおいて外線への発信が許容されているか判断する（ステップＳ４０１）。外線への発信が許容されている場合（ステップＳ４０１でＹＥＳ）、ステップＳ３０６に進む。
【００４１】
一方、外線への発信が許容されていない場合（ステップＳ４０１でＮＯ）、検索部２３は、特定したサービスエリアに対応する網識別子を検索キーとして記憶部１４を検索し、検索キーに一致する網識別子を含む通信履歴データを読み出す（ステップＳ４０２）。
【００４２】
なお、各構内交換網は、原則として外線電話番号への発信を制限している場合であっても、特定の外線電話番号に対しての発信を許容する場合がある。この場合、ステップＳ４０２において読み出される通信履歴データには、内線電話番号を含むものだけではなく、特定の外線電話番号を含むものも含まれる。
【００４３】
次に、図５乃至図８を参照して、本発明の第２の実施の形態について詳細に説明する。
【００４４】
図５は、本実施の形態に係る通信システムの概略構成図である。図示の通信システムは、互いに異なる無線通信網を構成する２つの構内交換機（ＰＢＸ：Private Branch Exchanger）５１、５２を有している。
【００４５】
構内交換機５１は、事業所Ａ内をカバーするサービスエリアを提供する。また、構内交換機５２は、工場Ｃ内をカバーするサービスエリアを提供する。これらサービスエリアを提供するため、構内交換機５１，５２には、それぞれ少なくとも一つのアクセスポイント（基地局）５３，５４が接続されている。また、構内交換機５１，５２には、それぞれ一つ以上の内線電話機が有線接続されてもよい。
【００４６】
構内交換機５１、５２は、ともに公衆電話網５５に接続されている。公衆電話網５５は、公衆無線電話網（携帯電話網又はＰＨＳ（Personal Handyphone System）網）５６に接続されている。公衆無線電話網５６は、複数（図では一つ）のアクセスポイント（基地局）５７を有している。
【００４７】
図示の通信システムは、第１の実施の形態で説明した通信装置１０の使用を許容する。通信装置１０の通信部１１は、アクセスポイント５３，５４及び５７のいずれにもアクセス可能である。構内交換機５１，５２は、同一のアーキテクチャ及び同一の通信方式を採用しているので、通信部１１は、一つの無線ユニットでアクセスポイント５３及び５４のいずれにもアクセスできる。ただし、構内交換機５１，５２のそれぞれに対して予め内線端末として登録する必要がある。また、アクセスポイント５７へのアクセスには、構内交換網用の無線ユニットとは別の無線ユニットを用いる。
【００４８】
通信装置１０の通信部１１は、現在位置に応じてアクセスポイント５３，５４及び５７のいずれか一つを特定する。具体的には、アクセスポイント５３，５４及び５７から送信される制御信号を受信し、受信レベルが所定値以上の信号を送信したアクセスポイントの中から優先度の高いものを特定する。そして、特定したアクセスポイントを含む無線通信網を、通信に使用すべき通信網として特定する。通常、構内交換網は公衆無線電話網よりも高い優先度を持つ。この場合、通信装置１０は、事業所Ａ内に位置しているとき、構内交換機５１が構成する無線通信網を通信に使用すべき通信網として特定する。また、通信装置１０は、工場Ｃ内に位置しているとき、構内交換機５２が構成する無線通信網を通信に使用すべき通信網として特定する。
【００４９】
以下、本実施の形態に係る通信システムにおける通信装置１０の動作について説明する。
【００５０】
通信装置１０は、事業所Ａの構内交換機５１および工場Ｃの構内交換機５２に内線端末として予め登録されている。これにより、通信装置１０は、構内交換機５１，５２の内線端末として発着信することが可能である。また、通信装置１０は、公衆無線電話事業者との契約により公衆無線電話網５６を使っての発着信が可能である。その結果、通信装置１０は、事業所Ａでは構内交換機５１配下の内線端末として、工場Ｃでは構内交換機５２の配下の内線端末として動作する。また、通信装置１０は、事業所Ａ及び工場Ｃ以外の場所であって、公衆無線電話網に接続可能な場所では一般の携帯電話機として動作する。なお、構内交換機５１，５２は、通信装置１０からの外線発信を全て許容しているものとする。
【００５１】
発信時、通信装置１０は、記憶部１４に着信者側の電話番号を記憶する。このとき、通信装置１０は、その発信呼が構内交換機５１経由なのか、公衆無線電話網５６経由なのか、構内交換機５２経由なのかの情報（網識別子）も合わせて記憶する。
【００５２】
また、着信時、通信装置１０は、記憶部１４に発信者側の電話番号を記憶する。このとき、通信装置１０は、その着信呼が構内交換機５１経由なのか、公衆無線電話網５６経由なのか、構内交換機５２経由なのかの情報（網識別子）も合わせて記憶する。
【００５３】
図６は、記憶部１４に記憶された通信履歴情報の一例を示す図である。図示の通信履歴情報は６件の通信履歴データを含む。各通信履歴データは、通信日時、発信／着信の別、通信相手の電話番号及び通信に使用した無線通信網を示す網識別子を含む。
【００５４】
通信装置１０が事業所Ａ内に位置しているとき、通信履歴情報の表示指示が入力されると、通信装置１０は、図７に示すような通信履歴情報を表示部１５に表示する。図６と図７を比較すると、通信装置１０は、Ｎｏ．２の通信履歴データを表示していない。これは、Ｎｏ．２の通信履歴データに含まれる電話番号が構内交換機５２の配下の内線番号であるため、構内交換機５１の配下にいる状態では発信できないからである。換言すると、この状態で表示部１５に表示されている電話番号は全て発信可能な電話番号である。なお、図７ではＮｏ．２の通信履歴データを空欄としたが、空欄を詰めて表示するようにしてもよい（図８，９においても同様）。
【００５５】
発信可能な電話番号を含む通信履歴データを表示部１５に表示させるため、通信装置１０は、その時点において通信に使用すべき無線通信網を特定する。通信装置１０が事業所Ａ内に位置しているとき、通信に使用すべき無線通信網は、構内交換機５１が構成する無線通信網である。通信装置１０は、構内交換機５１が構成する無線通信網の網識別子“ＰＢＸ−Ａ”を検索キーとして記憶部１４を検索し、Ｎｏ．５及び６の通信履歴データを読み出す。さらに、通信装置１０は、構内交換機５１がすべての外線発信を許容していることを確認し、外線電話番号を含むＮｏ．１，３及び４の通信履歴データを読み出す。なお、外線か否かの判断は、電話番号の桁数に基づいて行うことができる。
【００５６】
こうして、通信装置１０は、通信履歴データに含まれる網識別子、電話番号（の桁数）及び現在位置（通信に使用すべき無線通信網の網識別子）に基づいて、現在位置から発信することできる有効な電話番号を含む発着信履歴データを表示する。そして、その位置において発信不可能な電話番号を含む通信履歴データの表示は回避される。
【００５７】
図８は、通信装置１０が事業所Ａ及び工場Ｃ以外の場所に位置し、公衆無線電話網５６と接続可能な場所に位置する場合に通信履歴情報を表示させた結果の一例である。この場合、通信装置１０は、その表示部１５に、外線電話番号を含むＮｏ．１，３，４及び６の通信履歴データを表示する。なお、Ｎｏ．２の通信履歴データは構内交換機５２の配下の内線番号を含み、Ｎｏ．５の通信履歴データは構内交換機５１の配下の内線電話番号を含む。通信装置１０は、このとき、これらの内線電話番号へ発信できない状態にある。発信に使用できない電話番号を含むこれらＮｏ．２及び５の通信履歴データは表示されない。
【００５８】
この場合においても、網識別子“公衆”を検索キーとして検索した後、外線電話番号を含む通信履歴データを読み出すようにしてもよい。しかし、この場合は、網識別子“公衆”を検索キーとする検索を省略しても同じ結果が得られる。
【００５９】
図９図は、通信装置１０が工場Ｃ内に位置する場合に通信履歴情報を表示させた結果の一例である。この場合、通信装置１０は、その表示部１５に、外線電話番号を含むＮｏ．１，２，３，４及び６の通信履歴データを表示させる。Ｎｏ．５の通信履歴データは、このとき通信装置１０から発信することができない内線電話番号を含むものである。発信に使用できない電話番号を含むこのＮｏ．５の通信履歴データは表示されない。
【００６０】
このように本実施の形態に係る通信システムでは、現在位置（通信に使用すべき無線通信網）に基づいて、通信履歴に含まれる電話番号が有効（現在位置から発信できる）か否かを通信装置１０が判断し、有効な電話番号を含む通信履歴データを表示させることができる。つまり、発信に利用できない無効な電話番号を含む通信履歴データを非表示とすることができる。これにより、ユーザの利便性を向上させることができる。
【００６１】
なお、上記実施の形態では、網識別子を検索キーとする検索の後、外線電話番号を含む通信履歴データをも読み出す例について説明した。しかしながら、外線電話番号を含む通信履歴データの読み出しを行わず、網識別子を検索キーとする検索を行った結果だけを表示させるようにしてもよい。この場合、図１０に示すように、通信装置１０は、事業所Ａ内に位置しているとき、Ｎｏ．５及び６の通信履歴データを表示する。また、通信装置１０は、事業所Ａ及び工場Ｃ外に位置しているとき、Ｎｏ．３及び４の通信履歴データを表示する。さらに、通信装置１０は、工場Ｃ内に位置しているとき、Ｎｏ．１及び２の通信履歴データを表示する。
【００６２】
このように構成することで、構内交換機５１，５２が（全ての、或いは特定の外線電話番号を除いて）外線電話番号への発信を制限している場合においても、発信可能な電話番号を含む通信履歴データを表示させ、その位置において発信不可能な電話番号を含む通信履歴データの表示を回避することができる。また、この構成によれば、通信装置１０が悪意の第三者に渡った場合に、一度に入手できる通信履歴情報の範囲を制限し、全ての通信履歴情報の入手を困難にするという効果もある。
【００６３】
なお、このような構成においても通信装置１０が公衆無線電話網５６を通信に使用すべき通信網として特定している場合には、外線電話番号を含む通信履歴データを表示させるようにしてもよい。
【００６４】
以上、本発明についていくつかの実施の形態に即して説明したが、本発明は上記実施の形態に限定されることなく種々の変更変形が可能である。
【００６５】
例えば、上記実施の形態では、通信履歴情報の表示指示を受けてから、通信に使用すべき通信網を特定するようにした。しかしながら、常時（又は周期的に）通信に使用すべき通信網を特定するようにしておき、通信履歴情報の表示指示を受けたとき、直ちに通信履歴データの検索を行うようにしてもよい。
【００６６】
また、上記実施の形態では、通信履歴情報として送信履歴情報と着信履歴情報を区別せずに扱う例について説明した。しかしながら、送信履歴情報と着信履歴情報とを区別し、これらを別々に表示するようにしてもよい。
【００６７】
さらに、上記実施の形態では、複数の無線通信網として一つの公衆無線電話網と二つの構内交換網を例示した。しかしながら、これに限らず、複数の無線通信網は相互に区別される２以上の無線通信網であってよい。この場合、複数の無線通信網は、複数の構内交換網であってよい。
【００６８】
上記の実施形態の一部又は全部は、以下の付記のようにも記載されうるが、以下には限られない。
【００６９】
（付記１）複数の通信網に無線接続可能で、前記複数の通信網のうちの一つを通信に使用すべき通信網として特定する通信手段と、前記通信手段による通信の履歴データを通信履歴情報として記憶する記憶手段と、表示手段と、前記記憶手段に記憶されている前記通信履歴情報の中から前記通信手段によって特定された通信網に関連する履歴データを検索し、検索結果を前記表示手段に表示させる履歴情報管理手段と、を有していることを特徴とする通信装置。
【００７０】
（付記２）前記通信履歴情報の表示指示を受ける入力手段をさらに有し、前記履歴データを検索は、前記入力手段からの表示指示に応答して行われることを特徴とする付記１に記載の通信装置。
【００７１】
（付記３）前記通信手段は、現在位置に基づいて前記通信に使用すべき通信網を特定することを特徴とする付記１又は２に記載の通信装置。
【００７２】
（付記４）前記履歴データは、前記通信手段による通信に使用された通信網を識別する網識別子を含み、前記履歴情報管理手段は、前記履歴データを生成して前記記憶手段に記憶させる記録手段と、前記網識別子を前記特定された通信網に関連する履歴データの検索に利用する検索手段とを有している、ことを特徴とする付記１，２又は３に記載の通信装置。
【００７３】
（付記５）前記履歴データは、通信相手を識別する固有識別子を含み、前記検索手段は、前記通信手段によって特定された通信網を介して発信が可能な固有識別子を含む履歴データを、前記通信手段によって特定された通信網に関連する履歴データとして検索することを特徴とする付記４に記載の通信装置。
【００７４】
（付記６）前記検索手段は、前記特定された通信網を介して発信が可能か否かの判断を、前記網識別子に基づいて行うことを特徴とする付記５に記載の通信装置。
【００７５】
（付記７）前記検索手段は、前記特定された通信網を介して発信が可能か否かの判断を、前記網識別子と前記固有識別子とに基づいて行うことを特徴とする付記６に記載の通信装置。
【００７６】
（付記８）前記検索手段は、前記特定された通信網を介して発信が可能か否かの判断を、前記網識別子に基づいて行うことを特徴とする付記４に記載の通信装置。
【００７７】
（付記９）前記複数の通信網は、公衆無線電話網と少なくとも一つの構内交換網を含むことを特徴とする付記１乃至８のいずれか一つに記載の通信装置。
【００７８】
（付記１０）付記１乃至８のいずれか一つに記載の通信装置と、前記複数の通信網に含まれる一つ以上の構内交換網をそれぞれ構成する一つ以上の構内交換機と、を有することを特徴とする通信システム。
【００７９】
（付記１１）前記複数の通信網のうちの一つが公衆無線電話網であることを特徴とする付記１０に記載の通信システム。
【００８０】
（付記１２）無線接続可能な複数の通信網のうちの一つを通信に使用すべき通信網として特定し、記憶部に記憶された通信履歴情報の中から、特定された前記通信網に関連する履歴データを検索し、検索結果を表示部に表示させる、ことを特徴とする通信履歴表示方法。
【００８１】
（付記１３）通信履歴情報の表示指示を受けて、前記履歴データを検索することを特徴とする通信履歴表示方法。
【００８２】
（付記１４）無線接続可能な複数の通信網のうちの一つを通信に使用すべき通信網として特定するステップと、記憶部に記憶された通信履歴情報の中から、特定された前記通信網に関連する履歴データを検索するステップと、検索結果を表示部に表示させるステップと、をコンピュータに実行させることを特徴とするプログラム。
【００８３】
（付記１５）通信履歴情報の表示指示を受けるステップをさらに前記コンピュータに実行させ、前記表示指示を受けたとき前記検索するステップを前記コンピュータに実行させることを特徴とする付記１４に記載のプログラム。
【符号の説明】
【００８４】
１０    通信装置
１１    通信部
１２    制御部
１３    入力操作部
１４    記憶部
１５    表示部
２０    履歴情報管理部
２１    記録部
２２    網特定部
２３    検索部
５１，５２    構内交換機
５３，５４，５７    アクセスポイント
５５    公衆電話網
５６    公衆無線電話網
【図１】
0006012087.tif 000002
【図２】
0006012087.tif 000003
【図３】
0006012087.tif 000004
【図４】
0006012087.tif 000005
【図５】
0006012087.tif 000006
【図６】
0006012087.tif 000007
【図７】
0006012087.tif 000008
【図８】
0006012087.tif 000009
【図９】
0006012087.tif 000010
【図１０】
0006012087.tif 000011